(57)【要約】【課題】特にコーナー部の窓枠内部材が落ち込むのを防止し、窓枠内部材と外部材が逆段差になるのを防止しエッジにより手など損傷しないようにすること。【解決手段】ヒーターを有する調理庫を内装した本体と、この本体の前面開口部を開閉する扉１１と窓枠外部材１２と窓枠内部材１３により窓ガラス１４を挟み込み、把手１５を取りつけ、窓枠外部材１２と窓枠内部材１３の間に少なくとも１辺がＬ字状で把手のボス部１５ａに嵌合された落ち込み防止用の金具３１を取りつけるものである。【選択図】図５
2005270683.tif 000002
【特許請求の範囲】
【請求項１】
ヒーターを有する調理庫を内装した本体と、この本体の前面開口部を開閉する扉と窓枠外部材と窓枠内部材により窓ガラスを挟み込み、把手を取りつけ、前記窓枠外部材と窓枠内部材の間に少なくとも１辺がＬ字状で把手のボス部に嵌合された落ち込み防止用の金具を取りつけたことを特徴とするオーブントースター。
【請求項２】
窓枠は窓枠外部材と窓枠内部材より窓ガラスを挟み込み、ボス部を有した把手を取りつけ、前記ボス部に落ち込み防止用の金具を取りつけ、この金具を窓枠外部材または窓枠内部材から共取りしたことを特徴とする請求項１に記載のオーブントースター。
【発明の詳細な説明】
【技術分野】
【０００１】
本発明は、一般家庭で使用するオーブントースターの扉の構成に関するものである。
【背景技術】
【０００２】
従来この種のオーブントースターは、実開平３−３４５６３号公報に示されているように例えば図１２のような構造になっていた。
【０００３】
即ち、外筐体４０の内部に調理庫４１を形成する内筐体４２の側壁に上下ヒーター４３、４４を懸架し、かつこの上下ヒーター４３、４４の間に焼網４５を設け、内筐体４２の前側開口部を開閉する扉４６を設け、さらに扉４６下方に回動片４７形成し前面カバー４８に設けられたスリット４９に係止されて前記扉４６が開閉できるよう構成されている。また下操作の構造の扉構造をより簡単にかつコンパクトさが要望されるようになった。
【特許文献１】実開平３−３４５６３号公報
【発明の開示】
【発明が解決しようとする課題】
【０００４】
本発明は上記要望に対し、扉構造をより簡単にかつコンパクトにするとともにエッジにより手など損傷しないようにし、ガラスのガタを防止しかつパンくず落下を窓枠内に侵入しないようにしたオーブントースターを提供することを目的とする。
【課題を解決するための手段】
【０００５】
前記従来の課題を解決するために、本発明のオーブントースターは、ヒーターを有する調理庫を内装した本体と、この本体の前面開口部を開閉する扉と窓枠外部材と窓枠内部材により窓ガラスを挟み込み、把手を取りつけ、前記窓枠外部材と窓枠内部材の間に少なくとも１辺がＬ字状で把手のボス部に嵌合された落ち込み防止用の金具を取りつけたことを特徴とするとしたものである。
【０００６】
これによって、特にコーナー部の窓枠内部材が落ち込むのを防止し、窓枠内部材と外部材が逆段差になるのを防止しエッジにより手など損傷しないようにしたものである。
【発明の効果】
【０００７】
本発明のオーブントースターは、調理器の下方に回路収納部を設け、前記回路を調理庫内の熱より遮蔽する遮熱板と反射板を設け前記遮熱板側に前板を設け、窓枠外部材と窓枠内部材により窓ガラスを挟み込み把手のボスねじ部に取りつけ、前記窓枠外部材と窓枠内部材の間に少なくとも１辺がＬ字状で把手のボス部に勘合された落ち込み防止用の金具を取りつけ、特にコーナー部の窓枠内部材が落ち込むのを防止し、窓枠内部材と外部材が逆段差になるのを防止しエッジにより手など損傷しないようにしたものである。
【０００８】
また、請求項２に記載の発明は、調理器の下方に回路収納部を設け、前記回路を調理庫内の熱より遮蔽する遮熱板と反射板を設け、下方を遮熱板側に回路を収納した前板を取りつけかつ把手を有した窓枠のユニットを載置した前記窓枠は窓枠外部材と窓枠内部材より窓ガラスを挟み込み、把手のボスねじ部に取りつけ、前記把手のボス部に落ち込み防止用の金具を窓枠外部材または窓枠内部材から共取りし、廃材で構成しコストを下げて安価に構成したものである。
【発明を実施するための最良の形態】
【０００９】
第１の発明は、ヒーターを有する調理庫を内装した本体と、この本体の前面開口部を開閉する扉と窓枠外部材と窓枠内部材により窓ガラスを挟み込み、把手を取りつけ、前記窓枠外部材と窓枠内部材の間に少なくとも１辺がＬ字状で把手のボス部に嵌合された落ち込み防止用の金具を取りつけたことを特徴とするオーブントースターとし、特にコーナー部の窓枠内部材が落ち込むのを防止し、窓枠内部材と外部材が逆段差になるのを防止しエッジにより手など損傷しないようにしたものである。
【００１０】
第２の発明は、第１の発明に加え、窓枠は窓枠外部材と窓枠内部材より窓ガラスを挟み込み、ボス部を有した把手を取りつけ、前記ボス部に落ち込み防止用の金具を取りつけ、この金具を窓枠外部材または窓枠内部材から共取りしたもので、把手のボス部に落ち込み防止用の金具を窓枠外部材または窓枠内部材から共取りし、廃材で構成しコストを下げて安価に構成したものである。
【００１１】
（実施の形態１）
以下、本発明の第１の実施の形態について、図面を参照しながら説明する。図１〜図５において、１は前面側が開口した外筐体であり、３は調理庫２を形成する内筐体である。この内筐体３は左右側板４と反射板５とで構成される。さらに内筐体３の下部は前反射板６と遮熱板７により回路収納部８を備えている。この前反射板６は上部に取りつけ穴６ａを設けている。
【００１２】
８は内筐体３の上部側壁に懸架された上ヒーターの一本で、石英等からなる耐熱性の電気絶縁管に発熱線を装着したもので遠赤外線ヒーター８ａである。８ｂは石英管等にタングステンの発熱体をアルゴンガスやアルゴンガスとハロゲンガスなどのガスで封入した近赤外線ヒーターでもう一本の上ヒーターである。上ヒーター８は遠赤外線８ａと近赤外線のヒーター８ｂを設けている。９は内筐体３の下部側壁に懸架された下ヒーターである。
【００１３】
１０は上ヒーター８と下ヒーター９間に前後にスライド自在に内筐体３に設けた焼網であり、１１は内筐体３の前側開口部の開閉をする扉であり、扉１１は窓枠外部材１２と窓枠内部材１３で透明の窓ガラス１４を狭持するように前記窓枠外部材１２の下方に係合爪１２ａを両サイドに設けこの爪１２ａに対抗して前記窓枠内部材１３に開口穴１３ａを設けて係止し、上方は扉１１を開放するボス有した把手１５のボス部１５ａにねじ１６により窓枠内部材１３側より取りつけて前記窓ガラス１５を狭持するように取りつけている。さらに窓枠内部材１３は扉１１の回動を支える保持部材１７を取りつけている。
【００１４】
このとき窓枠内部材１３は窓枠外部材１２の内側に嵌合しており、側面の段差は外部材のほうが短くなるよう構成している。さらに前記窓枠外部材１２と窓枠内部材１３が組み合わされた状態で前記扉１１を支える軸受け部を備えた支持金具１８を設けている。
【００１５】
１９は前記支持金具１８と保持部材１７を連結する軸である。下部の軸１９を中心に回転自在に取りつけられている。扉１１の開閉に連動して焼網１０は網連結部材２０により連結されに前後にスライドする。
【００１６】
２１は外筐体１の前面の扉１１の下方に設けられた前板であり、前板２１には電源スイッチ２２・自動調理ボタン２３・ＬＥＤ２４．表示ランプ２５等の操作部２６が設けられている。
【００１７】
また、前板２１と内筐体３と外筐体１により構成された空間内に上ヒーター８、下ヒーター９を駆動するリレー２７を制御する制御基板２８が設けられている。また前記前板２１は上部に前記支持金具１８の取りつけ部２１ａを設けて、前記支持金具１８は一部を前記前反射板６の取りつけ穴６ａに係合し、かつ前記前板２１の取りつけ部２１ａにビス２９などで前板２１の上部を覆うように載置されることになる。
【００１８】
また、本構成の近赤外線ヒーターは庫内が光と同様に明るく窓ガラス以外から光もれするのを防止する必要があるが前記支持金具が略庫内幅に覆っているため光もれすることはない。
【００１９】
以上のように本実施の形態によれば、扉は窓枠外部材と窓枠内部材とで透明な窓ガラスを、前記窓枠外部材と窓枠内部材を下方で両端を係合して前記窓ガラスを狭持し、かつ上方は把手のボス部にビス止めし、かつ前記窓枠内部材の両サイドに回動を保持する保持部と保持部を支持する支持金具と軸を設けて窓枠ユニットとし、前方側に回路収納部を設け、前記回路を調理庫内の熱より遮蔽する遮熱板と反射板を設け、前記反射板に調理庫内の両サイドに開口部を設け、前記遮熱板側に調理器を制御する回路を取りつけた前板を取りつけ、かつ上方に凸部を有した取りつけ部を構成し、前記支持金具の一部を前記反射板の開口部に差し込みかつ前記前板の取りつけ部に取りつけて前記窓枠のユニットを載置し、支持金具で庫内を前部分を覆っているため下方に配置されている回路を収納している前板の庫内からの熱を遮蔽できかつ支持金具上に溜まるパンくずも下方に落下するのを防止でき庫内の光り漏れも防止できるものである。
【００２０】
（実施の形態２）
本発明の第２の実施の形態について、図６〜図７を参照しながら説明する。扉１１は窓枠外部材１２と窓枠内部材１３とで透明な窓ガラス１４を挟み込むよう構成して窓枠外部材１２と内部材１３を下方で両端を係合し、かつ上方は把手１５のボス部１５ａにビス止めし、かつ前記窓枠外部材１２の両サイドに回動を保持する保持部１７と保持部１７を支持する支持金具１８と軸１９を設けて窓枠ユニットとし、前方側に回路収納部を設け、前記遮熱板７側に調理器を制御する回路を取りつけた前板を設け、保持部１７と軸１９と支持金具１８の上部を窓枠ユニットに内包している。
【００２１】
以上のように本実施の形態によれば、前記遮熱板側に調理器を制御する回路を取りつけた前板を設け、前記保持部材と軸と支持金具の上部を窓枠ユニットに内包し、窓枠ユニットに回動部が露出しないため特に窓枠ユニットの側面も外観になる場合はすっきり感を出せデザイン品位も向上し、コンパクトにもできるものである。
【００２２】
（実施の形態３）
本発明の第３の実施の形態について、図５を参照しながら説明する。扉１１は窓枠外部材１２と窓枠内部材１３とで透明な窓ガラス１４を挟み込むよう構成して前記窓枠外部材１２と内部材１３を下方で両端を係合しかつ上方は把手１５のボス部１５ａにビス止めし、かつ前記窓枠内部材１３の両サイドに回動を保持する保持部１７と保持部１７を支持する支持金具１８と軸１９を設けて窓枠のユニットとし、前方側に回路収納部を設け、前記回路を調理庫内の熱より遮蔽する遮熱板と反射板を設け、前記遮熱板側に調理器を制御する回路を取りつけた前板を設け、前記窓ガラスの上方向の規制を把手１５のボス１５ａにより実施したものである。
【００２３】
以上のように本実施の形態によれば、前記窓ガラスの上方向の規制を把手のボスにより実施し、ガラスの方を防止しかつパンくず落下を窓枠内に侵入しないようにしたものである。
【００２４】
（実施の形態４）
本発明の第４の実施の形態について、図８〜図９を参照しながら説明する。前記窓枠のユニットを載置した前記窓枠は窓枠外部材１２と窓枠内部材１３により窓ガラス１５を挟み込み、把手１５のボス部１５ａにねじ１６により取りつけ、前記窓枠内部材１３に前記扉１１の回動をする回動保持部１７を取りつけ、かつこの窓枠を保持する支持金具１８を軸１９により保持し、回動保持部１７と焼き網１０の保持部１７とを一体にしたものである。
【００２５】
以上のように本実施の形態によれば、窓枠のユニットを載置した前記窓把手を有した窓枠のユニットを載置し前記窓枠内部材に前記扉の回動をする回動保持部材を取りつけ、かつこの窓枠を保持する支持金具を軸により保持し、前記回動保持部材と前記焼き網の保持部材とを兼ねて、部品点を減らすとともに組み立てやすく安価に構成したものである。
【００２６】
（実施の形態５）
本発明の第５の実施の形態について図９を参照しながら説明する。前記窓枠は窓枠外部材１２と窓枠内部材１３により窓ガラス１４を挟み込み、把手１５のボスねじ部１５ａに取りつけ、前記窓枠内部材１３に前記扉１１の回動を保持する保持部１７を設け、かつこの窓枠の保持部１７を保持する支持金具１８と軸１９により窓枠ユニットを保持し、前記軸１９を一本の軸にしたものである。また軸１９の抜け止めは窓枠内部材１３にセットされた状態で窓枠外部材１３を嵌合させることで抜け止めができる構成としている。
【００２７】
以上のように本実施の形態によれば、前記扉の回動を保持する保持部材窓枠内部材に前記扉の回動を保持を保持する支持金具と軸により窓枠ユニットを保持する支持金具と軸により窓軸の挿入性を向上させかつ軸の抜け止めも窓枠軸の挿入性を向上させかつの抜け止めも窓枠の組合せでできるものである。
【００２８】
（実施の形態６）
本発明の第６の実施の形態について図５、図９を参照しながら説明する。前記窓枠外部材１２と窓枠内部材１３により窓ガラス１４を挟み込み把手１５のボスねじ部１５ａに取りつけ、窓枠外部材１２と窓枠内部材１３の間に少なくとも１辺がＬ字状で把手１５のボス部１５ａに勘合された落ち込み防止用の金具３１を取りつけている。本構成では２個の金具としているが１本の金具としてもよい。
【００２９】
以上のように本実施の形態によれば、窓枠外部材と窓枠内部材により窓ガラスを挟み込み把手のボスねじ部に取りつけ、前記窓枠外部材と窓枠内部材の間に少なくとも１辺がＬ字状で把手のボス部に勘合された落ち込み防止用の金具を取りつけ、特にコーナー部の窓枠内部材が落ち込むのを防止し、窓枠内部材と外部材が逆段差になるのを防止しエッジにより手など損傷しないようにしたものである。
【００３０】
（実施の形態７）
本発明の第７の実施の形態について図１０を参照しながら説明する。把手１５のボス部１５ａに落ち込み防止用の金具３１を窓枠外部材１２または窓枠内部材１３から共取りした構成としている。本構成では２個に分割しているが１個としてもよい。
【００３１】
以上のように本実施の形態によれば、前記把手のボス部に落ち込み防止用の金具を窓枠外部材または窓枠内部材から共取りし、廃材で構成しコストを下げて安価に構成したものである。
【産業上の利用可能性】
【００３２】
以上のように、本発明にかかるオーブントースターは特にコーナー部の窓枠内部材が落ち込むのを防止し、窓枠内部材と外部材が逆段差になるのを防止しエッジにより手など損傷しないようにしたので一般家庭で使用するオーブントースター等の用途に適している。
【図面の簡単な説明】
【００３３】
【図１】本発明の実施の形態におけるオーブントースターの要部断面図
【図２】本発明の実施の形態におけるオーブントースターの正面図
【図３】本発明の実施の形態におけるオーブントースターの側面図
【図４】本発明の実施の形態におけるオーブントースターの扉部分の側面図
【図５】本発明の実施の形態および第３、第６の実施の形態におけるオーブントースターの扉部分の断面図
【図６】本発明の第２実施の形態におけるオーブントースターの要部断面図
【図７】本発明の第２実施の形態におけるオーブントースターの扉を後ろより見た図
【図８】本発明の第４実施の形態におけるオーブントースターの要部断面図
【図９】本発明の第５実施の形態におけるオーブントースターの正面図
【図１０】本発明の第７実施の形態におけるオーブントースターの正面図
【図１１】本発明の実施の形態におけるオーブントースターの本体斜視図
【図１２】従来のオーブントースターの要部断面図
【符号の説明】
【００３４】
１  外筐体
２  調理庫
３  内筐体
５  反射板
６  前反射板
６ａ  取りつけ部
７  遮熱板
８  上ヒーター
９  下ヒーター
１０  焼き網
１１  扉
１２  窓枠外部材
１３  窓枠内部材
１４  窓ガラス
１５  把手
１５ａ  ボス部
１７  保持部
１８  支持金具
１９  軸
２１  前板
【図１】
2005270683.tif 000003
【図２】
2005270683.tif 000004
【図３】
2005270683.tif 000005
【図４】
2005270683.tif 000006
【図５】
2005270683.tif 000007
【図６】
2005270683.tif 000008
【図７】
2005270683.tif 000009
【図８】
2005270683.tif 000010
【図９】
2005270683.tif 000011
【図１０】
2005270683.tif 000012
【図１１】
2005270683.tif 000013
【図１２】
2005270683.tif 000014